(57)【要約】【課題】鼻緒や仕切りの締め具合を調節できず、また、足の甲をしっかりと固定できず、靴内で足が滑り踏ん張りが効かない。足の甲の指の付根部分が擦れて痛くなる。【解決手段】靴用部材の部材本体の上面に、足の親指と人差し指とで挟む指間挟着片を突設し、指間挟着片に足の甲側に伸びる可動片を連接し、可動片に靴のアッパーの甲部内面又は舌内面に脱着可能な装着具を形成し、該装着具は甲部内面又は舌内面への装着位置を変えられるものとした。可動片を靴の舌の上端よりも外まで突出する長さ、又は内側に収まる長さに形成した。可動片の指間挟着片寄りに足の甲に宛がわれる甲当て部を形成した。指間挟着片を首振り可能な柔軟なものとした。可動片を靴のアッパーの甲部及び舌を兼ねるものとした。可動片に靴紐を通す紐通し穴を形成した。可動片に靴のアッパーのつま先側内面に脱着可能な装着具を取付けた。前記の靴用部材を用いて靴を成形した。【選択図】      図１
2004154263.tif 000002
【特許請求の範囲】
【請求項１】
靴の内部に敷く中敷、靴の内部に固定する中底等の靴用部材であり、その靴用部材は部材本体の上面に、足の親指と人差し指との間に挟まれる指間挟着片が突設され、指間挟着片に足の甲側に伸びる可動片が連接され、可動片に靴のアッパーの甲部内面又は舌内面に脱着可能な装着具が形成され、前記装着具は甲部内面又は舌内面への装着位置を変えることができることを特徴とする靴用中敷、中底等の靴用部材。
【請求項２】
請求項１記載の靴用中敷、中底等の靴用部材において、可動片が靴の舌の上端よりも外まで突出する長さ、又は舌の上端よりも内側に収まる長さに形成されたことを特徴とする靴用中敷、中底等の靴用部材。
【請求項３】
請求項１又は請求項２記載の靴用中敷、中底等の靴用部材において、可動片の指間挟着片寄りに足の甲に宛がわれる甲当て部が形成されたことを特徴とする靴用中敷、中底等の靴用部材。
【請求項４】
請求項１乃至請求項３のいずれかに記載の靴用中敷、中底等の靴用部材において、指間挟着片が首振り可能な柔軟性を備えたことを特徴とする靴用中敷、中底等の靴用部材。
【請求項５】
請求項１乃至請求項４のいずれかに記載の靴用中敷、中底等の靴用部材において、可動片が靴のアッパーの甲部及び舌を兼ねるものであることを特徴とする靴用中敷、中底等の靴用部材。
【請求項６】
請求項５記載の靴用中敷、中底等の靴用部材敷において、可動片に靴紐を通す紐通し穴が一又は二以上形成されたことを特徴とする靴用中敷、中底等の靴用部材。
【請求項７】
請求項５又は請求項６記載の靴用中敷、中底等の靴用部材において、可動片に靴のアッパーのつま先側内面に脱着可能な装着具が取付けられたことを特徴とする靴用中敷、中底等の靴用部材。
【請求項８】
請求項１乃至請求項７のいずれかに記載の靴用中敷、中底等の靴用部材が靴内に取付けられたことを特徴とする靴。
【発明の詳細な説明】
【０００１】
【発明の属する技術分野】
本発明は靴用中敷や靴用中底等の靴用部材と、それらを使用した靴に関するものである。
【０００２】
【従来の技術】
従来の靴の内部構造は、足のつま先側が靴の中で動かないようにするため、図１３（ａ）に示すように、足の足囲Ａ、Ｂ、Ｃとボール幅Ｆとを狭く絞って、足が絞めつけられる構造としていた。しかし近年、靴の前記構造に起因する外反母趾、足の蒸れ、血流悪化、指の退化、自律神経障害等の足の障害が問題となっている。この傾向は、運動靴、紳士靴、婦人靴等の靴全般に顕著に現れている。これら問題を解消するために、近年は図１３（ｂ）に示すようにボール幅Ｆを広くして（幅広にして）、つま先側に余裕を持たせる構造としてあった。これによって前記諸問題は緩和されるが、靴の中でつま先側が動きすぎて安定しないため、新たな課題が発生している。それは、つま先が遊び過ぎて指の踏んばりが利かなくなり、傾斜地では靴の中でつま先側が捩れたりすることである。それを阻止するために、無意識のうちに、指先を丸めて踏んばって身体を支えるようになり、つま先に余計な力がかかって疲労し易くなる。つま先を安定させるためには靴紐を強く締めることが考えられるが、そのようにすると足の血流が悪くなるという新たな課題が発生する。
【０００３】
前記した外反母趾等の諸問題や新たな問題を解決するべく、これまで、種々の発明や考案がなされている。その主なものとして、草履や下駄の鼻緒のようなものを設けた靴の中敷（例えば、特許文献１）、足の指を区画する仕切りを設けた靴の中敷（例えば、特許文献２）、靴の中底に鼻緒や仕切を設けた鼻緒付靴（例えば、特許文献３）などがある。
【０００４】
【特許文献１】
実用新案登録第３０６５６７２号公報。
【特許文献２】
実用新案登録第３０６４１６５号公報。
【特許文献３】
特開平１１−３１８５１１号公報。
【０００５】
【発明が解決しようとする課題】
しかし、従来の鼻緒や仕切りを設けた靴中敷や靴には、以下のような課題がある。
１．鼻緒や仕切りが靴の中敷や中底に固定されていて、動かすことができないものが多く、その場合は鼻緒や仕切りの締め具合を調節することができない。
２．鼻緒によって足の指は固定されてある程度動かなくなるが、足の甲はしっかりと固定できない。
３．靴を履いて歩いたり走ったりすると、靴のつま先側（足の指の付け根部分）が屈曲し、屈曲部が内側に突出して足の甲の指の付根部分に当たる。しかも、屈曲する度に足のほぼ同じ箇所に当たるので、その部分が擦れて痛くなるという問題もある。
４．中敷や中底全体が扁平であったり、材質が均一であったりするため、引っ掛かりがなく、足が滑り易い。
【０００６】
【課題を解決するための手段】
本発明の目的は、足指が靴内で自由であり、しかも靴内での足指の前後左右の安定を確保し、足の踏んばりが効く靴用中敷や靴用中底等の靴用部材と、それらを使用した靴を提供することにある。
【０００７】
本件出願の第１の靴用中敷、靴用中底等の靴用部材は、靴の内部に敷く中敷、靴の内部に固定する中底等の靴用部材であり、その靴用部材は部材本体の上面に、足の親指と人差し指との間に挟まれる指間挟着片が突設され、指間挟着片に足の甲側に伸びる可動片が連接され、可動片に靴のアッパーの甲部内面又は舌内面に脱着可能な装着具が形成され、前記装着具は甲部内面又は舌内面への装着位置を変えることができるものである。
【０００８】
本件出願の第２の靴用中敷、靴用中底等の靴用部材は、請求項１記載の靴用中敷、靴用中底等の靴用部材において、可動片が靴の舌の上端よりも外まで突出する長さ、又は舌の上端よりも内側に収まる長さに形成されたものである。
【０００９】
本件出願の第３の靴用中敷、靴用中底等の靴用部材は、請求項１又は請求項２記載の靴用中敷、靴用中底等の靴用部材において、可動片の指間挟着片寄りに足の甲に宛がわれる甲当て部が形成されたものである。
【００１０】
本件出願の第４の靴用中敷、靴用中底等の靴用部材は、請求項１乃至請求項３のいずれかに記載の靴用中敷、靴用中底等の靴用部材において、指間挟着片が首振り可能な柔軟性を備えたものである。
【００１１】
本件出願の第５の靴用中敷、靴用中底等の靴用部材は、請求項１乃至請求項４のいずれかに記載の靴用中敷、靴用中底等の靴用部材において、可動片が靴のアッパーの甲部及び舌を兼ねるものである。
【００１２】
本件出願の第６の靴用中敷、靴用中底等の靴用部材は、請求項５又は請求項６記載の靴用中敷、靴用中底等の靴用部材において、可動片に靴のアッパーのつま先側内面に脱着可能な装着具が取付けられたものである。
【００１３】
本件出願の第７の靴用中敷、靴用中底等の靴用部材は、請求項５又は請求項６記載の靴用中敷、靴用中底等の靴用部材において、可動片に靴のアッパーのつま先側内面に脱着可能な装着具が取付けられたものである。
【００１４】
本件出願の靴は、請求項１乃至請求項７のいずれかに記載の靴用中敷、靴用中底等の靴用部材が靴内に取付けられたものである。
【００１５】
【発明の実施の形態】
（実施形態１）
本発明の靴用部材の実施形態の一例を図１〜図５に基づいて説明する。この図面は全て右足用の靴用中敷に関するものであるが、左足用はこれらと左右対称である。この靴用部材は靴用中敷の場合であるが、この図の形状、構造はそのまま靴用中底にもあてはまる。
【００１６】
図１に示す靴用中敷は部材本体１に指間挟着片２と可動片３とを備えてなる。前記部材本体１は、運動靴、ブーツ、紳士靴、婦人靴等の靴全般の中底の上に敷設して使用可能なものであり、皮、フェルト、ナイロン、ビニール、ラテックスやウレタン等のスポンジといった各種素材で作ることができる。この部材本体１は図２に示すように靴を履いた際に、足のつま先の先方に捨て寸４ができる大きさにしてある。部材本体１のつま先側には指間挟着片２を差し込み可能な差込孔５が開口されている。該差込孔５の形状は、円形、幅方向へ伸びるスリット状等いずれであっても良いが、図に示すようなつま先方向へ伸びるスリット状のものが望ましい。
【００１７】
前記指間挟着片２と可動片３は図３（ａ）（ｂ）に示すように同一素材で一連に成形されている。素材としては、例えば、布製の生地６の上にスポンジ７が貼り付けられたものが使用されている。その素材の下端部を二つ折りにして鼻緒のように細い指間挟着片２とし、同素材の上端部をそのままにして指間挟着片２よりも幅の広い可動片３としてある。可動片３は図４に示すように靴５０の中に敷設すると、その上端部が靴の舌５１の上端縁よりも上方まで突出する長さに成形されている。可動片３は舌５１の上端縁の内側に隠れる（突出しない）程度の長さとすることもできる。
【００１８】
可動片３には幅の広い甲当て部９と、甲当て部９よりも幅の細い操作部１０が設けられている。甲当て部９は靴を履いたときに足の甲に宛がわれる部分であり、前記素材の幅を二つ折にせずにそのままの広い状態で使用してある。この場合、小指側の幅を親指側の幅よりも広くして甲の全般に宛たるようにしてある。操作部１０の上面には装着具１１が取付けられている。装着具１１には靴のアッパーの甲部内面に脱着可能な面ファスナーが使用されている。
【００１９】
前記指間挟着片２はその下端部１２を部材本体１の差込孔５の後端に差し込んで部材本体１の裏面に突出させ、突出した下端部１２を左右に二又に分けて、接着剤によって部材本体１の裏面に接着固定してある。この場合、部材本体１の裏面のうち、指の付根部分が位置する位置に突出部分を固定して、その接着部分に該当する部材本体１の表面が上方に隆起するようにしてある。部材本体１に固定された指間挟着片２は部材本体１の表面より上方に突出し、その素材が前記のように軟らかい性質であるため、前後左右に自由に首振り可能な状態になる。
【００２０】
本発明の靴用部材である靴用中敷は靴内の中底の上に敷き、接着や縫い付け等によって中底に固定して使用する。この靴を履いたときは次のようにして、履いた人の足にフィットさせることができる。
１．靴５０を履いて、親指と人差し指の間に指間挟着片２を挟む。
２．舌５１の上縁部よりも上方まで突出している可動片３の上端部８を前後左右に動かして指間挟着片２を首振りさせて、親指と人差し指との間への指間挟着片２の当たり具合を調節する。
３．所望位置に調節できたら、装着具１１を舌５１の内面に固定して、可動片３を舌５１に固定して、指間挟着片２と可動片３が動かないようにする。
４．靴５０を履いているときに、親指と人差し指との間への指間挟着片２の当たり具合を調節する場合は、舌５１の上端縁から外に突出している可動片３の上端部８を手の指で摘んで、可動片３の装着具を舌から外して可動片３をフリー（前後左右に自由に動く状態）の状態にし、その状態で可動片３を前後左右に動かして指間挟着片２及び甲当て部９の位置を調節する。これによって靴５０内の足、特につま先側を安定させることができる。また、甲当て部９が足の甲に宛がわれるため足全体も安定する。また、歩行、走行時に靴５０のアッパー５２のつま先側が屈曲して屈曲部５３が内側に突出しても、屈曲部５３は甲当て部９に当たり、足の甲には直接当たらないため、足の甲が擦れたり、痛くなったりしない。また、同じく歩行、走行時に靴底が屈曲して、足の指間が指間挟着片２を圧迫しても、指間挟着片２が差込孔５のスリット部分に入りこみ（図５矢印方向）、足の親指と人差し指との間に指間挟持片２が食い込んで痛くなったりしない。
【００２１】
（実施形態２）
本発明の靴用部材の他の実施形態を図６に基づいて説明する。この実施形態も靴用中敷であり、図面も左足用の靴用中敷であるが、右足用はこれらと左右対称である。この靴用部材は靴用中敷の場合であるが、この図の形状、構造もそのまま靴用中底にもあてはまる。
【００２２】
図６の靴用中敷の部材本体１の形状、構造は図１の部材本体１と同じであり、指間挟着片２と可動片３とが一体に連接されていることも図１の部材本体１と同じであるが、可動片３の形状及び構造は図１のものと異なる。図６の可動片３は靴のアッパーの舌と同じ形状にして、靴の舌を兼ねることができるようにしてある。この場合、可動片３の下端部が甲当て部９を兼ねる。
【００２３】
図６の可動片３の表面の指間挟着片２寄りには、靴のアッパーのつま先側内面に脱着可能な装着具１１が取付けられ、可動片３の表面の上端寄りには靴紐を通す紐通し穴２０が数個形成されている。装着具１１には面ファスナーが使用されている。紐通し穴２０は可動片３の長手方向（上下方向）に３段に形成されている。紐通し穴２０は布片２１を可動片３に縫い付けて成形されている。紐通し穴２０は可動片３に切り込みを入れるとか、他の方法で形成することもできる。
【００２４】
図６の靴用中敷は図７のように同様に靴５０の中底の上に敷いて、中底に接着や縫い付け等によって固定することができる。図６の靴用中敷の可動片３は靴５０の舌を兼ねる形状、構造であるため、図７の靴５０には舌がない。この靴用中敷が取付けられた靴５０の場合、靴紐を可動片３に形成されている紐通し穴２０の何れかに通す。
【００２５】
図７の靴は次のようにして履いた人の足にフィットさせることができる。
１．靴５０を履いて、親指と人差し指の間に指間挟着片２を挟む。
２．可動片３の上端部８を前後左右に動かして指間挟着片２を首振りさせて、親指と人差し指との間への指間挟着片２の当たり具合を調節する。
３．所望位置に調節できたら、可動片の下端部の装着具１１を靴のアッパー５２内面に固定してから、靴紐を締める。これにより指間挟着片２と可動片３が靴に固定されて安定し、足も安定する。
４．靴５０を履いているときに、親指と人差し指との間への指間挟着片２の当たり具合を調節する場合は、靴紐を緩めてから可動片３の下端部の装着具１１を靴のアッパー５２内面から外して可動片３をフリー（前後左右に自由に動く状態）にする。その状態で可動片３の上端部８を手の指で摘んで、可動片３を前後左右に動かして指間挟着片２及び甲当て部９の位置を調節する。
５．適当な位置で装着具１１を靴のアッパー５２内面に固定する。また、必要であれば靴紐を別の位置の紐通し穴２０に通す。この状態で靴紐を締めると、靴５０内の足、特につま先側が無理のない状態に安定する。また、可動片３の下部が足の甲に宛がわれて甲当て部９の機能を果たすので足全体も安定する。また、歩行、走行時に靴５０のアッパー５２のつま先側が屈曲して屈曲部５３が内側に突出しても、屈曲部５３は可動片３に当たり、足の甲には直接当たらないため、足の甲が擦れたり、痛くなったりしない。また、同じく歩行、走行時に靴底が屈曲して、足の指間が指間挟着片２を圧迫しても、指間挟着片２が差込孔５のスリット部分に入りこみ（図５参照）、足の親指と人差し指との間に指間挟持片２が食い込んで痛くなったりしない。
【００２６】
実施形態２の靴用部材は図８のように靴用中底として使用することもできる。この場合は、靴用中底の上に通常の靴用中敷を敷くこともできる。
【００２７】
実施形態２の靴用部材は靴とは別売りの中敷として使用することもできる。その場合は部材本体を使用する靴のサイズに合わせてつま先側を切断できるように、部材本体に切断線を表示しておくこともできる。
【００２８】
（実施形態３）
本発明の靴用部材の第３の実施形態を説明する。前記実施形態１及び２では部材本体１の指間挟着片２より先のつま先側に捨て寸４ができる程度の大きさにしてあるが、本発明の靴用部材である靴用中敷、中底等の部材本体１は図９に示すように、部材本体１の指間挟着片２より先のつま先部分を切除し、切除跡に部材本体１と別材質のつま先部３０を張り付けることもできる。この場合、つま先部３０の内側端部３１を、部材本体１の裏面に接着固定してある指間挟着片２の下端部１２の上に重ねて接着剤で張り付けてある。このように張付けると張付け部分に段差ができ、その段差が引っかかり部分となり、足を靴内でしっかりと固定して滑りにくくすることができ、足が靴内で安定する。張付けるつま先部３０は部材本体１よりも軟質材で作ったり、部材本体１よりも薄く作ったりすることもできる。
【００２９】
（実施形態４）
本発明の靴用部材である靴用中敷、中底等の部材本体１は図１０に示すように、指間挟着片２より先のつま先部分を切除したものでもよい。
【００３０】
（実施形態５）
本発明の靴用部材は図１１に示すように、指間挟持片２の下端に円盤状の固定片３２を成形しておき、その固定片３２を部材本体１のつま先側表面に張付けて、指間挟持片２を部材本体１に取付けることもできる。
【００３１】
（実施形態６）
本発明の靴用部材は図１２に示すように、指間挟持片２の下端に、部材本体１のつま先側と同じ形状の固定片３２を形成しておき、その固定片を部材本体１のつま先側表面に張付けて、指間挟持片２を部材本体１に取付けることもできる。
【００３２】
（実施形態７）
また、本発明の靴用部材は、部材本体１と指間挟持片２とを一体に形成することも可能である（図示は省略）。
【００３３】
（他の実施形態）
本発明の靴用部材である靴用中敷、中底等の部材本体１は図示したもの以外の形状、構造とすることもできる。例えば、部材本体１の踵側を切り欠いたものとか、全体の輪郭を靴の中底のサイズより少し小さい相似形としたり、他の任意の形状とするすることができる。
【００３４】
前記各実施形態では、指間挟持片２と可動片３とが一体のものであるが、両者は別々に成形されたものを連結したものでも良い。指間挟持片２と可動片３の素材も前記した者に限らず、例えばフェルト、樹脂、皮革といった各種のものを使用することができる。指間挟持片２の固定手段も接着剤や縫製以外の方法とすることもできる。
【００３５】
可動片の甲当て部９の形状も図１に示すものに限らず、親指側と小指側とが同じ幅であってもよく、或いは、円盤状の形状やダイヤの形状といったように足の甲に宛たり易い人の形状とすることができる。
【００３６】
可動片３に取り付ける装着具１１も面ファスナーに限らず、靴のアッパーの甲部内面や、靴のアッパーのつま先寄り内面に手軽に脱着可能なものであれば、他のもの、例えば、リベット、ボタン、ホック等のいずれであってもよい。
【００３７】
【発明の効果】
本件出願の第１の靴用部材は次のような効果がある。
（１）靴の内部に敷いたり、固定されたりする部材本体の上面に指間挟着片を備えるため、足の親指と人差し指とで当該指間挟着片を挟着し、足を靴の内部で固定することができ、靴内で足を踏ん張ることができる。
（２）可動片に靴のアッパーのつま先側内面又は後部内面又は舌内面に脱着可能な装着具を設けて、それらへの可動片の装着位置を変えることができるようにしたため、前記指間挟着片及び可動片を足に適合するような所望の締め具合に調節することができる。
【００３８】
本件出願の第２の靴用部材は次のような効果がある。
（１）可動片が靴の舌の上縁より突出する長さ、又は、舌よりも多少短めにして、舌の上縁の内側に収まる程度にしたので、靴を履いたままでも、可動変を手の指で持って操作して、可動片を前後左右に移動させて、指間挟着片及び可動片の位置を靴を履いている人の足に合わせて、指間挟着片が所望の締め具合となるように調節することができる。
【００３９】
本件出願の第３の靴用部材は次のような効果を有する。
（１）甲当て部が形成されたため、前記指間挟着片による足の指の固定とともに、足の甲の固定も、靴紐を強く絞めつけることなく行うことができ、足を快適に且つしっかりと固定することができる。
（２）また、該甲当て部によって、靴を履いて歩いたり走ったりした場合に靴のアッパーのつま先側（足の指の付け根部分）が屈曲して屈曲部が内側に突出しても、屈曲部は可動片に当たり、足の甲には直接当たらないため、足の甲が擦れたり、痛くなったりしない。
【００４０】
本件出願の第４の靴用部材は次のような効果を有する。
（１）指間挟着片が首振り可能な柔軟性を備えたため、該指間挟着片の締め具合の調節を細かく行うことができ、また、強めに締めるよう調節した場合に、足の指を痛めることを防ぐことができる。
【００４１】
本件出願の第５の靴用部材は次のような効果を有する。
（１）可動片が靴のアッパーの甲部及び舌を兼ねるため、より足の甲に可動片をなじませるさせることができ、また、よりしっかりと足の甲を固定及び保護することができる。
【００４２】
本件出願の第６の靴用部材は次のような効果を有する。
（１）可動片に靴紐を通す紐通し穴を一又は二以上形成したため、靴紐によってしっかりと指間挟着片の締め具合及びを固定することができる。
（２）また、紐通し穴を二以上備えた場合には、靴紐によって、細かく可動片の位置及び指間挟着片の締め具合を調節することができる。
【００４３】
本件出願の第７の靴用部材は次のような効果を有する。
（１）可動片に靴のアッパーのつま先側内面に脱着可能な装着具を取付けたため、該装着具を靴のアッパーの甲部の内側つま先付近に装着させると、足の指及び甲を所望の位置でしっかりと固定し、且つより靴らしい履き具合を実現させることが可能である。
【００４４】
本件出願の靴は次のような効果を有する。
（１）本発明の靴用中敷や靴用中底等の靴用部材が靴内に取付けられるため、前記の靴用部材の有する効果の夫々を備えた靴として、特に加工や準備を必要とせず使用することができる。
【図面の簡単な説明】
【図１】本発明の靴用部材の実施形態の一例を示す斜視図。
【図２】図１に示す靴用部材の部材本体についての説明図。
【図３】（ａ）は図１に示す靴用部材を示す側面図、（ｂ）は図１に示す靴用部材を示す上面図。
【図４】図１に示す靴用部材を靴に備えた状態を示す説明図。
【図５】図１に示す靴用部材の使用の状態を示す説明図。
【図６】本発明の靴用部材の実施形態の第二の例を示す斜視図。
【図７】図６に示す靴用部材を靴に備えた状態を示す説明図。
【図８】本発明の靴用部材（靴用中底）の実施形態の例を示す説明図。
【図９】本発明の靴用部材の実施形態の第三の例を示す斜視図。
【図１０】本発明の靴用部材の実施形態の第四の例を示す斜視図。
【図１１】本発明の靴用部材の実施形態の第五の例を示す斜視図。
【図１２】本発明の靴用部材の実施形態の第六の例を示す斜視図。
【図１３】（ａ）（ｂ）は夫々従来の靴の内部構造を示した説明図。
【符号の説明】
１  部材本体
２  指間挟着片
３  可動片
８  （可動片の）上端部
９  甲当て部
１０  操作部
１１  装着具
２０  紐通し穴
２１  布片
５０  靴
５１  舌
５２  アッパー
５３  屈曲部
【図１】
2004154263.tif 000003
【図２】
2004154263.tif 000004
【図３】
2004154263.tif 000005
【図４】
2004154263.tif 000006
【図５】
2004154263.tif 000007
【図６】
2004154263.tif 000008
【図７】
2004154263.tif 000009
【図８】
2004154263.tif 000010
【図９】
2004154263.tif 000011
【図１０】
2004154263.tif 000012
【図１１】
2004154263.tif 000013
【図１２】
2004154263.tif 000014
【図１３】
2004154263.tif 000015
【手続補正書】
【提出日】平成15年8月28日(2003.8.28)
【手続補正１】
【補正対象書類名】明細書
【補正対象項目名】請求項５
【補正方法】変更
【補正の内容】
【請求項５】
靴の内部に敷く中敷、靴の内部に固定する中底等の靴用部材であり、その靴用部材は部材本体の上面に、足の親指と人指し指との間に挟まれる指間挟着片が突設され、指間挟着片に足の甲側に伸びる可動片が連接され、該可動片が靴のアッパーの甲部及び舌を兼ねるものであり、該可動片に靴のアッパーの内面に着脱可能な装着具が形成され、前記装着具は靴のアッパー内面への装着位置を変えることができることを特徴とする靴用中敷、中底等の靴用部材。
【手続補正２】
【補正対象書類名】明細書
【補正対象項目名】００１１
【補正方法】変更
【補正の内容】
【００１１】
本件出願の第５の靴用中敷、中底等の靴用部材は、靴の内部に敷く中敷、靴の内部に固定する中底等の靴用部材であり、その靴用部材は部材本体の上面に、足の親指と人指し指との間に挟まれる指間挟着片が突設され、指間挟着片に足の甲側に伸びる可動片が連接され、該可動片が靴のアッパーの甲部及び舌を兼ねるものであり、該可動片に靴のアッパーの内面に着脱可能な装着具が形成され、前記装着具は靴のアッパー内面への装着位置を変えることができる。